(57)【要約】【課題】水槽を保持するスプリングを装着する装着部材を小型化する。【解決手段】左右の側板５１、５２を有する筐体１と、筐体１内で回転ドラム１０を回転可能に収容する水槽１１と、前記側板の上部に装着される装着部材６３と、一端が水槽１１に取り付けられ他端が装着部材６３に取り付けられて水槽１１を懸架するスプリング１６とを備え、側板５１、５２は、上部に水槽１１側へ向かって折り曲げられた折り曲げ片８１を有し、装着部材６３は、スプリング１６が装着される切り欠き部９６を有する第１の面部９０と、第１の面部９０の上側の一辺から折り曲げられて折り曲げ片８１の下側に重ねられる第２の面部９１と、第１の面部９０の下側の一辺から折り曲げられた第３の面部９４とを有し、第３の面部９４を側板５１、５２に当接させて、前記側板と装着部材６３とで閉領域となる断面を形成するように構成することにより、剛性を強化して装着部材の小型化を図る。【選択図】図５
2015054106.tif 000002
【特許請求の範囲】
【請求項１】
左右の側板を有する筐体と、前記筐体内で回転ドラムを回転可能に収容する水槽と、前記側板の上部に装着される装着部材と、一端が前記水槽に取り付けられ他端が前記装着部材に取り付けられて前記水槽を懸架するスプリングとを備え、前記側板は、上部に前記水槽側へ向かって折り曲げられた折り曲げ片を有し、前記装着部材は、前記スプリングが装着される切り欠き部を有する第１の面部と、前記第１の面部の上側の一辺から折り曲げられて前記折り曲げ片の下側に重ねられる第２の面部と、前記第１の面部の下側の一辺から折り曲げられた第３の面部とを有し、前記第３の面部を前記側板に当接させて、前記側板と前記装着部材とで閉領域となる断面を形成するように構成されたことを特徴とするドラム式洗濯機。
【請求項２】
前記装着部材は、前記第２の面部に隣接し前記第１の面部の上側の一辺から折り曲げられて前記折り曲げ片の上側に重ねられる第４の面部を有し、前記第２の面部と前記第４の面部とで前記折り曲げ片を挟むように構成されたことを特徴とする請求項１記載のドラム式洗濯機。
【発明の詳細な説明】
【技術分野】
【０００１】
本発明は、洗濯物を収容した回転ドラムを回転駆動するドラム式洗濯機に関し、詳しくは、回転ドラムを回転可能に収容する水槽の保持方法に関するものである。
【背景技術】
【０００２】
従来のドラム式洗濯機が、図８に示される。図８に示されるように、ドラム式洗濯機２０１は、筐体２０４と、筐体２０４内に弾性的に保持された水槽（外槽）２０３と、水槽２０３内に回転可能に設けられ、水平又は傾斜した回転軸を有するドラム２０２と、水槽２０３の振動を減衰する油圧ダンパ２０６とを備えている。水槽２０３は、筐体２０４の上面に取り付けられるスプリング２０５によって吊り下げられ、弾性的に保持されている（例えば、特許文献１参照）。
【先行技術文献】
【特許文献】
【０００３】
【特許文献１】特開２００９−０８２４９１号公報
【発明の概要】
【発明が解決しようとする課題】
【０００４】
従来の水槽は、筐体の上面に設けられたスプリングにより吊り下げられた構造である。一端が水槽に取り付けられたスプリングの他端を筐体の上面に取り付けるためには、筐体の上面を他の筐体部材と分離構造にした上で、分離された上面部材にスプリングを引っ掛けることで組み付けられる。または、分離された上面部材にスプリングを装着する装着部材が追加して設けられ、その装着部材にスプリングを引っ掛けることで組み付けられる。
【０００５】
しかしながら、筐体の上面部材にスプリングを引っ掛ける場合、上面部材はスプリングの荷重に対する十分な剛性が必要である。また、追加された装着部材にスプリングを引っ掛ける場合も、装着部材はスプリングの荷重に対する十分な剛性が必要である。このため、上面部材、装着部材の剛性強化、固定ビス本数の増加が必要となり、洗濯機の大型化や重量及びコストの増加を招く恐れがあった。
【０００６】
本発明は上記課題に鑑みてなされたもので、水槽を保持するスプリングの引っ張り荷重及び回転モーメントの作用方向に対し、効率のよい形状のスプリングの装着部材を備えたドラム式洗濯機を実現することを目的とする。
【課題を解決するための手段】
【０００７】
前記従来の課題を解決するために、本発明のドラム式洗濯機は、左右の側板を有する筐体と、前記筐体内で回転ドラムを回転可能に収容する水槽と、前記側板の上部に装着される装着部材と、一端が前記水槽に取り付けられ他端が前記装着部材に取り付けられて前記水槽を懸架するスプリングとを備え、前記側板は、上部に前記水槽側へ向かって折り曲げられた折り曲げ片を有し、前記装着部材は、前記スプリングが装着される切り欠き部を有する第１の面部と、前記第１の面部の上側の一辺から折り曲げられて前記折り曲げ片の下側に重ねられる第２の面部と、前記第１の面部の下側の一辺から折り曲げられた第３の面部とを有し、前記第３の面部を前記側板に当接させて、前記側板と前記装着部材とで閉領域となる断面を形成するように構成されたことを特徴とするものである。
【０００８】
この構成によれば、第３の面部を側板に当接させるようにしているので、側板と装着部材により閉領域となる断面形成となり、水槽を保持するスプリングの引っ張り荷重及び回
転モーメントの作用方向に対して断面係数が増加するので、装着部材の外形の小型化及び板厚の薄肉化を図ることができる。また、側板と装着部材とを螺着するネジの個数を削減することができる。
【発明の効果】
【０００９】
本発明のドラム式洗濯機は、水槽を保持するスプリングの引っ張り荷重及び回転モーメントに対する剛性が向上し、スプリングを装着する装着部材を小型化することができる。
【図面の簡単な説明】
【００１０】
【図１】本発明の実施の形態１におけるドラム式洗濯機の斜視図
【図２】同ドラム式洗濯機の側面断面図
【図３】同ドラム式洗濯機の主要筐体部の分解斜視図
【図４】同ドラム式洗濯機の装着部材近傍の要部分解斜視図
【図５】図４の装着部材の切り欠き部を通る縦断面図
【図６】図４の装着部材の第１貫通孔を通る縦断面図
【図７】図４の装着部材の第３貫通孔を通る縦断面図
【図８】従来のドラム式洗濯機の正面断面図
【発明を実施するための形態】
【００１１】
第１の発明のドラム式洗濯機は、左右の側板を有する筐体と、前記筐体内で回転ドラムを回転可能に収容する水槽と、前記側板の上部に装着される装着部材と、一端が前記水槽に取り付けられ他端が前記装着部材に取り付けられて前記水槽を懸架するスプリングとを備え、前記側板は、上部に前記水槽側へ向かって折り曲げられた折り曲げ片を有し、前記装着部材は、前記スプリングが装着される切り欠き部を有する第１の面部と、前記第１の面部の上側の一辺から折り曲げられて前記折り曲げ片の下側に重ねられる第２の面部と、前記第１の面部の下側の一辺から折り曲げられた第３の面部とを有し、前記第３の面部を前記側板に当接させて、前記側板と前記装着部材とで閉領域となる断面を形成するように構成されたことを特徴とするものである。
【００１２】
この構成によれば、第３の面部を側板に当接させるようにしているので、側板と装着部材により閉領域となる断面形成となり、水槽を保持するスプリングの引っ張り荷重及び回転モーメントの作用方向に対して断面係数が増加するので、装着部材の外形の小型化及び板厚の薄肉化を図ることができる。また、側板と装着部材とを螺着するネジの個数を削減することができる。
【００１３】
第２の発明は、第１の発明において、前記装着部材は、前記第２の面部に隣接し前記第１の面部の上側の一辺から折り曲げられて前記折り曲げ片の上側に重ねられる第４の面部を有し、前記第２の面部と前記第４の面部とで前記折り曲げ片を挟むように構成されたことを特徴とするものである。
【００１４】
この構成によれば、装着部材の第４の面部は側板の折り曲げ片の上側に重ねられて取り付けられるので、水槽を保持するスプリングの引っ張り荷重及び回転モーメントの作用方向に対して、折り曲げ片で装着部材を支えることができる。さらに、装着部材は、第２の面部と第４の面部とで側板の折り曲げ片を挟むように装着されるので、装着部材を側板に仮固定で取り付けた後、ネジで螺着するまでの間において、重力による装着部材の側板からの脱落を防止することができ、ネジの螺着作業が容易となる。
【００１５】
以下、本発明の実施の形態について図面を参照しながら説明する。なお、この実施の形態によって本発明が限定されるものではない。
【００１６】
（実施の形態１）
図１は、本発明の実施の形態１におけるドラム式洗濯機の斜視図であり、外観の概略を示す。図２は、同ドラム式洗濯機の側面断面図であり、内部構成の概略を示す。
図１に示されるように、本実施の形態１のドラム式洗濯機は、略箱状の筐体１と、回転軸２を支点として筐体１に対して開閉自在に設けられた扉体３と、扉体３の上部に配置された操作部４と、操作部４に隣接して配置された表示部５と、表示部５に隣接し、筐体１に対して引き出し可能に開閉される洗剤収容容器６とを備える。また、筐体１の上面には給水器２５の一部が露見されている。
【００１７】
使用者は、ドラム式洗濯機へ洗濯する衣類を投入、或いはドラム式洗濯機から洗濯された衣類を取り出すときには、扉体３を開いて行う。また、使用者は、粉末洗剤や液体洗剤や液体仕上げ剤などを洗剤収容容器６に投入するときは、筐体１から洗剤収容容器６を引き出して行う。使用者は、粉末洗剤等を洗剤収容容器６に投入後、洗剤収容容器６を押し込んで筐体１に収納する。操作部４を操作することでドラム式洗濯機に電源が投入でき、また、洗いやすすぎなど、各種洗濯コースも選択できる。その選択結果や選択された洗濯コースが完了するまでの時間情報、各種洗濯工程進行状況、洗濯完了情報等が表示部５に表示される。
【００１８】
次に、筐体１が内部に有する各構成要素について説明される。図２に示されるように、筐体１の正面側に投入口７が形成され、扉体３が閉じたときに投入口７を覆う。使用者は、扉体３を開いて投入口７より衣類の出し入れができる。筐体１の内部には、環状パッキン８、回転ドラム１０、水槽１１、回転ドラム１０を回転駆動するモータ１２が収容されている。環状パッキン８は、投入口７と水槽１１との間に配置され、投入口７と水槽１１との隙間への洗濯物の衣類の挟まりや洗濯水が漏れることを防止する。回転ドラム１０は、有底円筒形に形成され、筐体１内に揺動自在に支持された水槽１１内に回転自在に配設されている。回転ドラム１０の軸心方向は、正面側から背面側に向けて下向きに傾斜している（図２では、右上がり方向に図示されている）。回転ドラム１０は、外周部に多数の通水孔１４が設けられている。通水孔１４は、水槽１１の内側にある洗濯水が、回転ドラム１０の内外に通過できるようになっている。
【００１９】
モータ１２は、水槽１１の背面側に取り付けられており、水槽１１内の回転ドラム１０を正転又は逆転方向に回転駆動する。突起部１３（１３ａ、１３ｂ）は、回転ドラム１０の内壁面に複数設けられている。この突起部１３は、回転ドラム１０が低速で回転することにより、洗濯物を引っ掛けて上方に持ち上げた後、適当な高さで落下させるといった撹拌動作（タンブリング動作）を与えることにより、衣類の撹拌たたき洗い及び乾燥動作などを行なう。
【００２０】
水槽１１は、水槽１１の下方に配置されたダンパ１５による支持、及び水槽１１の上方に配置されたスプリング１６による懸架により、筐体１に対して揺動自在に防振支持されている。水槽１１の後ろ側の下部には取水口１７が設けられている。この取水口１７は、排水弁１８を介し配水管１９を経由して排水ポンプ２０に接続されている。排水ポンプ２０は、水槽１１内の洗濯水を筐体１の外部に排水する。また、取水口１７は、循環ポンプ２１を介し循環経路２２を経由して出水口２３にも接続されている。循環ポンプ２１の動作により、洗濯水が回転ドラム１０内の洗濯物に噴射され、洗濯物に洗濯水を含ませる。なお、すすぎ工程の場合は、循環ポンプ２１は洗剤を含まない水を噴射し、洗濯物に含まれる洗剤液を除去するすすぎ効果を高める。
【００２１】
水槽１１の上方には、給水器２５と、洗剤収容容器６を含む洗剤収容部２６と、プリント基板から構成され制御機能を有する制御部２７とが配置されている。洗剤収容部２６は、洗剤収容容器６と、給水部材３０と、送水部材３１と、接続管部材３２とから構成され
る。給水部材３０は、水道蛇口に接続される給水器２５に接続されている。送水部材３１は給水部材３０の下方に設けられており、洗剤収容容器６を引き出し可能に保持している。接続管部材３２はその一端が送水部材３１に接続され、他端は水槽１１に接続されている。洗剤収容容器６は、前述したように、筐体１に対して引き出し可能であり、図２では、筐体１から引き出した状態を２点鎖線で示している。
【００２２】
次に、図３を用いて筐体１の構成が説明される。図３は、同ドラム式洗濯機の主要筐体部の分解斜視図である。基台５０の周囲の上部に、第１側板５１と第２側板５２と第３側板５３とが設けられる。第１側板５１は正面から見て筐体１の左側面を形成し、第２側板５２は筐体１の右側面を形成し、第３側板５３は筐体１の背面を形成する。第１側板５１と第２側板５２には、投入口７を有する第４側板５４が正面側から装着される。更に、基台５０、第１側板５１、第２側板５２、第３側板５３、第４側板５４とで略箱状に形成され、開放された天面に第５側板５５が設けられる。
【００２３】
基台５０は有底であり、底部には２本のダンパ１５（１５ａ、１５ｂ）の一端がそれぞれ固定される２ヵ所の基台側ダンパ固定部５６（５６ａ、５６ｂ）が設けられている。ダンパ１５の他端は水槽１１の外周に設けられた２ヵ所の水槽側ダンパ固定部５７（５７ａ、５７ｂ）にそれぞれ固定される。２個のスプリング１６（１６ａ、１６ｂ）は、コイル部５８と、コイル部５８の片端からＵ字を形成するように延長して形成された第１引掛け部６０と、コイル部５８の他端からＵ字を形成するように延長して形成された第２引掛け部６２とが形成されている。
【００２４】
２個のスプリング１６に対応する２個の装着部材６３は、それぞれ第１側板５１と第２側板５２の上部に装着され、第１側板５１とは、第１ネジ６４、第２ネジ６５、第３ネジ６６、第４ネジ６７の４本のネジで固定される。第２側板５２とは、第５ネジ６８、第６ネジ６９、第７ネジ７０、第８ネジ７１の４本のネジで固定される。なお、２個の装着部材６３は同一形状でいずれにも兼用できるように構成されており、第１側板５１と第２側板５２への装着は、それぞれ装着部材６３が向き合うように固定される。
【００２５】
次に、図４を用いて装着部材６３の詳細が説明される。図４は、同ドラム式洗濯機の装着部材近傍の要部分解斜視図である。図４は、第１側板５１側のみを示し、以降の説明も図４に沿って説明されるが、対向する第２側板５２についても対称な構成であって第１側板５１側と同様の構成である。第１側板５１には、断面Ｂで示されるように、水槽１１方向に向かって外面より凹んだビード部８０が複数形成されている。第１側板５１は、上部に水槽１１側に向かって折り曲げられた折り曲げ片８１を有し、この折り曲げ片８１には第５貫通孔８２、第６貫通孔８３、第７貫通孔８４、第８貫通孔８５を有する。第５貫通孔８２と第６貫通孔８３は、前述のネジの呼び径より大きく形成されている。第７貫通孔８４と第８貫通孔８５は、前述のネジが螺着する雌ネジに形成される。
【００２６】
装着部材６３は、第１の面部９０と、この第１の面部９０の上側の一辺で折り曲げられて形成された第２の面部９１と、この第２の面部９１の両脇側であって、同じく第１の面部９０の上側の一辺で折り曲げられて形成された第４の面部９２、９３と第１の面部９０の下側の一辺で折り曲げられて形成された第３の面部９４と、第３の面部９４の先端に折り曲げられて形成された第５の面部９５とを有する。第１の面部９０の中央付近に設けられた円弧形状の切り欠き部９６は第２の面部９１に跨って形成されている。
【００２７】
第２の面部９１には、切り欠き部９６を間に挟むように、第１貫通孔９７と第２貫通孔９８とが設けられている。この第１貫通孔９７と第２貫通孔９８は、前述したネジが螺着する雌ネジを形成する。また、第４の面部９２の中央付近には第３貫通孔９９が設けられ、もう一方の第４の面部９３の中央付近には第４貫通孔１００が設けられている。第３貫
通孔９９と第４貫通孔１００は、前述したネジの呼び径より大きく形成されている。第２の面部９１の表面と、第４の面部９２、９３の裏面とは段差Ａが形成されている。
【００２８】
次に、図５〜図７を用いて装着部材６３の固定方法が説明される。図５は、図４の各部の縦断面図である。図５は、図４の切り欠き部９６を通る断面を示している。折り曲げ片８１の下側に第２の面部９１が重ねられており、水槽１１の外周に設けられた水槽側スプリング固定部１０１に固定されたスプリング１６の第１引掛け部６０が切り欠き部９６に引っ掛けて装着されている。
【００２９】
図６は、図４の第１貫通孔９７を通る断面を示している。折り曲げ片８１の下側に第２の面部９１が重ねられ、第１ネジ６４が第１貫通孔９７を挿通して第５貫通孔８２に螺着している。図７は、図４の第３貫通孔９９を通る断面を示している。折り曲げ片８１の上側に装着部材６３の第２の面部９１が重なっており、第３ネジ６６が第３貫通孔９９を挿通して第７貫通孔８４に螺着している。以上のようにして、装着部材６３は第１側板５１に固定される。
【００３０】
ここで、装着部材６３は段差Ａを有しており、この段差Ａの寸法は、折り曲げ片８１の厚みとほぼ等しく、わずかに大きい。故に、折り曲げ片８１が、段差Ａの間に差し込まれて挟まれ、折り曲げ片８１に対して装着部材６３が保持される。したがって、装着部材６３を第１側板５１に仮固定で取り付けた後、ネジで螺着するまでの間において、重力による装着部材６３の第１側板５１からの脱落を防止することができ、第１ネジ６４、第３ネジ６６の螺着作業が容易となる。さらに、装着部材６３の第４の面部９２、９３は第１側板５１の折り曲げ片８１の上側に重ねられて取り付けられるので、水槽１１を保持するスプリング１６の引っ張り荷重Ｅ及び回転モーメントの作用方向Ｆに対して、折り曲げ片８１で装着部材６３を支えることができる。
【００３１】
なお、第２の面部９１の両脇側の第４の面部９２、９３を形成せず、段差Ａがない装着部材６３としても構わない。この場合は、装着部材６３が折り曲げ片８１に保持されないため螺着作業の容易性は妨げられるが、装着部材６３の形成自体は容易になる。
【００３２】
また、断面Ｂで、第１側板５１のビード部８０と装着部材６３の第５の面部９５を当接させることにより、第１側板５１と装着部材６３とで２つの直角を有する閉領域が形成され、概略的には点線で示されるような長方形の略箱形状Ｄが形成される。略箱形状Ｄは、水槽１１を保持するスプリング１６の引っ張り荷重方向Ｅ及び回転モーメント作用方向Ｆに対して効率のよい断面係数を有し、剛性強化を図ることができる。なお、スプリング１６の引っ張り荷重方向Ｅは構成により変化することもあり、略箱形状Ｄは、直角部分はなくても断面形状として閉領域が形成されるようにすれば、構成に応じて剛性強化を図ることができる。
【００３３】
また、第３の面部９４の先端に形成された第５の面部９５は必ずしも必要なものではなく、第３の面部９４の先端が第１側板５１に当接するようにしてもよい。第５の面部９５があると、第１側板５１への荷重を分散させることができる。さらに、当接する部分を本実施の形態１のようにビード部８０とすれば、より剛性を高めて装着部材６３の当接を受け止めることができる。
【００３４】
また、図４に示される第２貫通孔９８を通る断面の第１側板５１と装着部材６３は、図６に示される第１貫通孔９７通る断面の第１側板５１と装着部材６３と同一構成とし、第２ネジ６５で螺着される。図４に示される第４貫通孔１００を通る断面の第１側板５１と装着部材６３は、図７に示される第３貫通孔９９を通る断面の第１側板５１と装着部材６３と同一構成とし、第４ネジ６７で螺着される。
【００３５】
以上説明されたような構成によれば、左右の側板と２個の装着部材とをそれぞれ当接させ、側板と装着部材とで閉領域となる断面を形成する構成としたことにより、側板と装着部材とが一体となり、スプリングの荷重に対する剛性を強化することができる。これにより、装着部材の外形の小型化及び板厚の薄肉化を実施することができる。また、側板と装着部材とを螺着するネジの個数を削減することができる。
【産業上の利用可能性】
【００３６】
本発明に係るドラム式洗濯機は、水槽を弾性的に保持するスプリングの荷重に対し、効率のよい断面係数の装着部材を備え、装着部材の小型化、螺着するビス本数の削減といった効果を有するものであり、回転ドラムを有する他の洗濯機や乾燥機にも適用できる。
【符号の説明】
【００３７】
１  筐体
１０  回転ドラム
１１  水槽
１５  ダンパ
１６  スプリング
５１  第１側板
５２  第２側板
６３  装着部材
８０  ビード部
８１  折り曲げ片
９０  第１の面部
９１  第２の面部
９２、９３  第４の面部
９４  第３の面部
９６  切り欠き部
【図１】
2015054106.tif 000003
【図２】
2015054106.tif 000004
【図３】
2015054106.tif 000005
【図４】
2015054106.tif 000006
【図５】
2015054106.tif 000007
【図６】
2015054106.tif 000008
【図７】
2015054106.tif 000009
【図８】
2015054106.tif 000010